【事件の表示】
　上記当事者間の登録第１５３２４２６号商標の登録取消審判事件について、次のとおり審決する。
【結　論】
　登録第１５３２４２６号商標の「電気磁気測定器、電子応用機械器具」については、その登録は取り消す。
　審判費用は、被請求人の負担とする。
【理　由】
１　本件商標
　本件登録第１５３２４２６号商標（以下「本件商標」という）は、「ＥＳＰ」の文字を書してなり、昭和５４年８月２０日に登録出願、第１１類「電気機械器具（電球類および照明器具、電池を除く）電気通信機械器具、電子応用機械器具（医療機械器具に属するものを除く）電気材料」を指定商品として昭和５７年８月２７日に設定登録、その後、平成４年１１月２７日及び同１４年８月６日の二度に亘り商標権存続期間の更新登録がされたものである。
　　
２　請求人の主張
　請求人は、結論同旨の審決を求め、その理由及び被請求人の答弁に対する弁駁を以下のように述べ、証拠方法として甲第１号証ないし甲第３号証を提出した。
（１）請求人の調査によれば、本件商標は、その指定商品中「電気磁気測定器、電子応用機械器具」について継続して３年以上日本国内において使用されていないのみならず、本件商標を使用していないことについて何等正当な理由が存することも認められない。
　また、本件商標について専用使用権の設定又は通常使用権許諾の登録もないから、使用権者による使用も問題にならない。
（２）被請求人の答弁に対する弁駁
　被請求人は、「本件商標が被請求人の通常使用権者であるソニー株式会社により、『電子応用機械器具』に属する『電子回路』について使用されている。すなわち、被請求人の通常使用権者であるソニー株式会社が乙第１号証（商品カタログ）に示すとおり、『携帯型ＣＤプレーヤー及び車載用ＣＤプレーヤー用の音飛びを防止するための電子回路』について、本件審判請求の登録前３年以内である平成１２年７月時点及び現在においても継続して使用している。このことは、乙第１号証中の『携帯型ＣＤプレーヤー』等の説明における『音飛びガードＥＳＰ搭載』の記載からみて明らかである。」旨答弁している。
　しかしながら、請求人は、これに対し、以下のように弁駁する。
（ア）先ず、被請求人は、「被請求人の通常使用権者であるソニー株式会社」と述べているが、「ソニー株式会社」が被請求人の通常使用権者であることを証明する証拠はない。
　したがって、被請求人の当該主張は認められない。
（イ）次に、被請求人は、本件商標が通常使用権者により「携帯型ＣＤプレーヤー及び車載用ＣＤプレーヤー用の音飛びを防止するための電子回路」について使用している旨述べている。
　しかしながら、被請求人が通常使用権者を通じて本件商標「ＥＳＰ」を使用している商品は、「電気通信機械器具」であり、「電子応用機械器具」に属する「電子回路」については使用されていない。
　被請求人提出の乙第１号証の第７２頁の左下には、「Ｄｉｓｃｍａｎ」の文字の右横に一連不可分に同一の書体の欧文字「ＥＳＰ」が商品の右下近傍に付されている。また、同じ頁の右下にも同じ態様の文字が認められる。
　このような態様での文字の使用は、当該文字に近接している商品の商標としての使用とされるが、「Ｄｉｓｃｍａｎ」が、電気通信機械器具に属する商品「コンパクトディスクプレーヤー」の商標として用いられていることは明らかであるところ、「ＥＳＰ」が電子回路に使用されていることは不明である。
（ウ）被請求人は、「このことは、乙第１号証中の『携帯型ＣＤプレーヤー』等の説明における『音飛びガードＥＳＰ搭載』の記載からみて明らかである。」旨主張しており、確かに、当該証拠には、その記載が認められる。
　しかしながら、当該記載は、その証拠に示されている各商品の機能を表すものであり、商標として使用されているものではない。
　すなわち、ソニーマーケティングジャパン（Ｓｏｎｙ　Ｍａｒｋｅｔｉｎｇ　ｏｆ　Ｊａｐａｎ）が著作権を有する「用語集」には、「ＥＳＰ（イーエスピー）Ｅｌｅｃｔｒｏｎｉｃ　Ｓｈｏｃｋ　Ｐｒｏｔｅｃｔｉｏｎ　ＣＤソフトを常に倍速回転させ、音楽信号を約３秒間メモリー後、本メモリーを通して再生、読み取りが行われるため、常にメモリー内には約３秒間の音楽信号があることとなります。したがって、振動などにより音楽信号の読み取りが一時的に正確に行われない場合、メモリー内の音楽信号を再生します。約３秒以内に読み取りが再開された場合、音楽信号がとぎれることはありません。※例えば、川の流れをせき止めてダムを造り、そのダムから少しづつ放水する方法です。したがって、常にダムには水（音楽信号）があることになります。その音楽信号が約３秒間分あるということです。」（甲第３号証）との記載が認められるところ、これは、「ＥＳＰ」がＣＤ等における音楽再生にあたってのＣＤの一つの機能を表す欧文字の頭文字であることを示している。
　そして、被請求人提出の乙第１号証をみると、「音飛びガード１０秒ＥＳＰ搭載」、「ＣＤの音飛びを低減するアドバンストＥＳＰをメガデッキに搭載」、「音飛びを防ぐアドバンスドＥＳＰ搭載」、「音飛びに強いＥＳＰ機能搭載」と記載されている。
　ここで、当該「ＥＳＰ」は、「ＣＤプレーヤー」等が「音飛び防止機能」を有することを示しているものであり、「電子回路」を識別する標識として用いられてはいない。
　なお、被請求人の答弁のとおり、「ＥＳＰ」の使用されている商品が電子回路としての性質を有するものであっても、当該回路は、ＣＤプレーヤーの如き電気通信機械器具に包含されるものである。
　したがって、当該回路は、商品区分の上では、電子応用機械器具から除外されると解される（「商品及び役務区分解説改定第２版」社団法人発明協会発行第６７頁参照）。
（３）以上の次第であるから、本件商標が取消請求に係る商品について使用されていないこと及び本件商標の不使用についての正当理由がないことは明らかである。
　　　
３　被請求人の答弁
　被請求人は、本件審判請求は成り立たない、審判費用は請求人の負担とする、との審決を求め、その理由及び請求人の弁駁に対する再答弁を次のように述べ、証拠方法として乙第１号証を提出した。
（１）本件商標は、被請求人の通常使用権者であるソニー株式会社により、「電子応用機械器具」に属する「電子回路」について使用されている。
　すなわち、被請求人の通常使用権者であるソニー株式会社は、乙第１号証（商品カタログ）に示すとおり、「携帯型ＣＤプレーヤー及び車載用ＣＤプレーヤー用の音飛びを防止するための電子回路」について、本件審判請求の登録前３年以内である平成１２年７月時点及び現在においても継続して使用している。このことは、乙第１号証中の「携帯型ＣＤプレーヤー」等の説明における「音飛びガードＥＳＰ搭載」の記載からみて明らかである。
（２）請求人の弁駁に対する再答弁
（ア）請求人は、「被請求人は、ソニー株式会社が被請求人の通常使用権者であることを証明していない。」旨主張するが、ソニー株式会社が被請求人の所有に係る本件商標をその指定商品に使用している（乙第１号証）事実からしても、ソニー株式会社が被請求人の通常使用権者であることは明らかである。
（イ）本件商標「ＥＳＰ」は、完成品である「携帯型ＣＤプレーヤー」等の表面に表示されているが、そのことをもって、本件商標が当該商品にのみ使用され、「電子回路」に使用されていないものとすることは、あまりにも形式的な見地に立つものであり、取引の実情を無視するものであって、到底容認できない。
　すなわち、乙第１号証によれば、掲載商品の主たる商標は、例えば、「ＳＯＮＹ」や「Ｄｉｓｃｍａｎ」であり、極めて強い識別力を発揮するのに対し、使用商標は、これらに添えて表示され、その商品に「ＥＳＰを搭載」しているという特徴を表示しているにすぎず、「携帯型ＣＤプレーヤー」等の商標としては識別力がないか極めて低いものである。
　また、通常使用権者であるソニー株式会社は、被請求人の登録商標の使用を「ＥＳＰ電子回路を搭載」の意味合いで明示したものであり、このような商標使用の関係は、パソコンとその利用ソフトとの関係等で普通に見られるところであるから、取引者、需要者も同様に認識するものとするのが取引の実情に則した見方といえる。
　してみれば、通常使用権者は、本件商標を「電子回路」について使用していないということはできない。
（ウ）当該電子回路は、電気通信機械器具に属する専用の部品、附属品ではなく、電子応用機械器具に属する汎用の電子回路である。
　すなわち、当該電子回路は、予めディスク等から送られた電子信号を極わずかな時間ストックすることによって、振動等による読み取りむら（主回路の信号むら）を補足するもので、それが組み込まれた機器の目的によって、回路に送られるものは音声からの信号ばかりではなく、電子計算機プログラムの信号等も含まれるものである。
　したがって、この電子回路は、「電子応用機械器具」の概念に含まれるところの汎用の電子回路というべきである。
　よって、本件商標は、被請求人の通常使用権者により、本件審判請求の登録前３年以内に日本国内において取消請求に係る商品について使用されている。
　　
４　当審の判断
（１）商標法第５０条による商標登録の取消審判の請求があったときは、同条第１項の規定により、当該審判請求の登録前３年以内に日本国内において商標権者、専用使用権者又は通常使用権者のいずれかが取消請求に係る指定商品につき当該登録商標を使用していることについて証明しない限り、あるいは、使用していないことについて正当な理由を明らかにしない限り、同条第２項の規定により、その登録の取消しを免れない。
（２）そこで本件について、上記の点を検討する前に、当事者間において、ソニー株式会社が被請求人の通常使用権者であるか否かについて争いがあるので、先ず、これについて判断するに、被請求人所有の本件商標をその指定商品についてソニー株式会社が被請求人の承諾を得て使用しているとの被請求人の意思表示が存する以上、ソニー株式会社が本件に関し被請求人の通常使用権者でないという判断をすることはできない。
（３）次に、被請求人提出の証拠について検討する。
　被請求人提出の証拠である乙第１号証は、６枚のコピーよりなるものである。
（ア）乙第１号証の最初の１枚（以下「表紙」という。）の上部には、「ＳＯＮＹ　商品のしおり　９５」という表題が認められるところ、当該「９５」という数字の大きさ及び表示位置よりすれば、これは１９９５［平成７］年、すなわち、「ＳＯＮＹ　商品のしおり」の「平成７年版」とみるのが相当である。 　
　他方、乙第１号証の６枚目のコピー（以下「裏表紙」という。）の最下部には、「カタログ記載内容：２０００年７月現在」という表示が存するが、乙第１号証には、商品カタログ全頁の把握に不可欠な目次の添付すらないこと等を考慮すると、前記裏表紙における上記の記載をもって、直ちに他の５枚のコピーも全て同年月、すなわち、本件審判請求の登録前３年以内の証拠であると判断することはできない。
　そうとすると、本件商標は、通常使用権者により本件審判請求の登録前３年以内に日本国内において、取消請求に係る商品について現実に使用されたものとまでは認めることはできない。     
（イ）また、乙第１号証の２枚目ないし５枚目の各頁に掲載されている各商品の写真等を総合すると、通常使用権者が本件商標を使用している商品は、いずれも「電気通信機械器具」に属する商品と容易に認められる。
　そして、本件商標が「電子回路」に使用されているとしても、当該「電子回路」は、「ＣＤプレーヤー」等（いずれも「電気通信機械器具」に属する商品。）の各商品中に組み込まれて、それ自体「音飛びを防止する」機能を発揮するものであってみれば、該「電子回路」は「ＣＤプレーヤー」等の「電気通信機械器具」において、前記機能を有する専用の部品と認められる。
　そうであるとすれば、該商品は「電気通信機械器具」に属する商品というべきである。
　してみると、乙第１号証の２枚目ないし５枚目の各頁の存在をもって、本件商標が「電子応用機械器具」に属する「電子回路」に使用されたものと認めることはできない。       
（４）以上の事実及び請求人主張の全趣旨を総合勘案すると、被請求人提出の乙１号証をもってしては、被請求人が本件商標「ＥＳＰ」を本件審判請求の登録前３年以内に日本国内において、その指定商品中の「電子応用機械器具」について使用した事実を示す証拠と認めることはできず、他に、当該認定を覆すに足りる証左は見出せない。
　してみると、被請求人は、本件審判請求の登録前３年以内に、本件商標を取消請求に係る商品について使用していなかったものといわざるを得ない。
　したがって、本件商標の登録は、商標法第５０条第２項の規定により、これを取り消すべきものとする。
　よって、結論のとおり審決する。